(57)【要約】本発明の一実施例による浮遊式加湿器が浮遊する水槽の上部に結合し、上部に前記浮遊式加湿器の一部が露出可能な開口部を具備する水槽蓋と、前記浮遊式加湿器への空気流入量を低減するように前記開口部の周りに沿って所定の高さを有して形成されるキャップとを含み、前記キャップは、上部に前記露出した浮遊式加湿器の一部が貫通するための貫通部を具備することができる。【選択図】図１
2019529848.tif 000002
【特許請求の範囲】
【請求項１】
浮遊式加湿器が浮遊する水槽の上部に結合し、上部に前記浮遊式加湿器の一部が露出可能な開口部を具備する水槽蓋と、前記浮遊式加湿器への空気流入量を低減するように前記開口部の周りに沿って所定の高さを有して形成されるキャップとを含み、前記キャップは、
上部に前記露出した浮遊式加湿器の一部が貫通するための貫通部を具備することを特徴とするキャップを利用した浮遊式加湿器の騒音低減装置。
【請求項２】
前記水槽蓋は、上部面が前記開口部に向かって下向傾斜する傾斜部を含むことを特徴とする請求項１に記載のキャップを利用した浮遊式加湿器の騒音低減装置。
【請求項３】
前記キャップと前記貫通した浮遊式加湿器の周りとの間に離隔空間が設けられるように、前記貫通部の直径は、前記浮遊式加湿器の排出部の直径より大きいことを特徴とする請求項１に記載のキャップを利用した浮遊式加湿器の騒音低減装置。
【請求項４】
前記キャップは、前記貫通部の周りに沿って前記離隔空間に向かって所定のサイズで突出形成される複数の突出部をさらに具備することを特徴とする請求項３に記載のキャップを利用した浮遊式加湿器の騒音低減装置。
【請求項５】
前記複数の突出部は、前記貫通部の周りに沿って前記開口部に向かって水平方向に突出形成することを特徴とする請求項４に記載のキャップを利用した浮遊式加湿器の騒音低減装置。
【請求項６】
前記複数の突出部は、前記貫通部の周りに沿って前記開口部に向かって下向斜めに突出形成することを特徴とする請求項４に記載のキャップを利用した浮遊式加湿器の騒音低減装置。
【請求項７】
前記複数の突出部は、前記貫通部の周りに沿って互いに均一な間隔を有し隔離して形成され、前記間隔は、前記複数の突出部が前記貫通部の中心を基準としてｎ／３６０度（ｎは、前記複数の突出部の個数）の角度を有し離隔させる間隔であることを特徴とする請求項４に記載のキャップを利用した浮遊式加湿器の騒音低減装置。
【請求項８】
前記開口部は、前記浮遊式加湿器から排出されて前記水槽蓋の上部に沈み込む加湿粒子が前記水槽内に再投入するように、周りに沿って所定のサイズで凹み形成される少なくとも１つの凹み溝部を具備することを特徴とする請求項３に記載のキャップを利用した浮遊式加湿器の騒音低減装置。
【請求項９】
前記キャップは、前記開口部に着脱可能に結合することを特徴とする請求項３に記載のキャップを利用した浮遊式加湿器の騒音低減装置。
【請求項１０】
前記キャップは、前記開口部の周り部分に安着するように、前記キャップの下部周りから上部方向に延長して形成され、前記貫通部中心軸の外側方向に斜めに形成される安着部をさらに具備することを特徴とする請求項９に記載のキャップを利用した浮遊式加湿器の騒音低減装置。
【請求項１１】
前記キャップは、前記浮遊式加湿器から排出され、前記水槽蓋の上部に沈み込む加湿粒子が前記水槽内に再投入するように、前記キャップの下部周りに形成される少なくとも１つの排出孔をさらに具備することを特徴とする請求項１０に記載のキャップを利用した浮遊式加湿器の騒音低減装置。
【発明の詳細な説明】
【技術分野】
【０００１】
本発明は、浮遊式加湿器の騒音低減装置に関し、さらに詳しくは、浮遊式加湿器に流入する空気量を調整して騒音を低減させるためのキャップを利用した浮遊式加湿器の騒音低減装置に関する。
【背景技術】
【０００２】
通常、加湿器は、乾燥した室内で人為的に所望の湿度を維持する機構である。即ち、加湿器は、電気によって水を粒子化あるいは水蒸気に作って屋内に噴出す装置である。
【０００３】
加湿器は、加湿方式によって、超音波振動子を利用した超音波加湿器と、ヒーターや電極棒で水を加熱して蒸気を吐き出す加熱式加湿器、そして上記２つの方式の長所を結合した複合式加湿器がある。
【０００４】
最近、上記加湿器のうち、洗浄などの管理が便利な浮遊式加湿器が多く使用されている。
【０００５】
しかし、このような浮遊式加湿器を使用する際に流入した空気が排出される場合、排出部の狭くなった通路により風の音が発生する。この時、浮遊式加湿器が浮遊する水槽に水が溢れるかまたは排出される水粒子を内部に集めるために蓋を被せることができるが、蓋が被せられた場合、水槽内に共鳴現象が発生して、風の音がより増幅するという不便が引き起こされる。
【０００６】
浮遊式加湿器を使用することによって発生する騒音を低減するために排出される空気の圧力を低くすることが効果的であり、そのため、流入する空気量を調節するための技術開発が必要な状況である。
【先行技術文献】
【特許文献】
【０００７】
【特許文献１】韓国公開特許第１０−２００９−０００８５４２号公報
【発明の概要】
【発明が解決しようとする課題】
【０００８】
本発明の目的は、浮遊式加湿器を収容する水槽の蓋に具備されたキャップが浮遊式加湿器の空気流入口の周囲を取り囲む構造により、流入する空気量及び排出される空気量を減らすことで、空気を排出する時に発生する騒音を低減するためのキャップを利用した浮遊式加湿器の騒音低減装置を提供することにある。
【０００９】
本発明が解決しようとする課題は、以上で言及した課題に制限されず、言及されなかったまた他の課題は、下記の記載から当業者に明確に理解できるであろう。
【課題を解決するための手段】
【００１０】
本発明の一実施例によるキャップを利用した浮遊式加湿器の騒音低減装置は、浮遊式加湿器が浮遊する水槽の上部に結合し、上部に前記浮遊式加湿器の一部が露出可能な開口部を具備する水槽蓋と、前記浮遊式加湿器への空気流入量を低減するように前記開口部の周りに沿って所定の高さを有して形成されるキャップとを含み、前記キャップは、上部に前記露出した浮遊式加湿器の一部が貫通するための貫通部を具備することができる。
【００１１】
また、本発明の一実施例による前記水槽蓋は、上部面が前記開口部に向かって下向傾斜する傾斜部を含むことができる。
【００１２】
また、本発明の一実施例による前記キャップと前記貫通した浮遊式加湿器の周りとの間に離隔空間が設けられるように、前記貫通部の直径は、前記浮遊式加湿器の排出部の直径より大きいことができる。
【００１３】
また、本発明の一実施例による前記キャップは、前記貫通部の周りに沿って前記離隔空間に向かって所定のサイズで突出形成される複数の突出部をさらに具備することができる。
【００１４】
また、本発明の一実施例による前記複数の突出部は、前記貫通部の周りに沿って前記開口部に向かって水平方向に突出形成することができる。
【００１５】
また、本発明の一実施例による前記複数の突出部は、前記貫通部の周りに沿って前記開口部に向かって下向斜めに突出形成することができる。
【００１６】
また、本発明の一実施例による前記複数の突出部は、前記貫通部の周りに沿って均一な間隔を有し隔離して形成され、前記間隔は、前記複数の突出部が前記貫通部の中心を基準としてｎ／３６０度（ｎは、前記複数の突出部の個数）の角度を有し離隔させる間隔であることができる。
【００１７】
また、本発明の一実施例による前記開口部は、前記浮遊式加湿器から排出されて前記水槽蓋の上部に沈み込む加湿粒子が前記水槽内に再投入するように、周りに沿って所定のサイズで凹み形成される少なくとも１つの凹み溝部を具備することができる。
【００１８】
また、本発明の一実施例による前記キャップは、前記開口部に着脱可能に結合することができる。
【００１９】
また、本発明の一実施例による前記キャップは、前記開口部の周り部分に安着するように、前記キャップの下部周りから上部方向に延長して形成され、前記貫通部中心軸の外側方向に斜めに形成される安着部をさらに具備することがある。
【００２０】
また、本発明の一実施例による前記キャップは、前記浮遊式加湿器から排出され、前記水槽蓋の上部に沈み込む加湿粒子が前記水槽内に再投入するように、前記キャップの下部周りに形成される少なくとも１つの排出孔をさらに具備することができる。
【００２１】
その他の実施例の具体的な事項は、詳細な説明及び添付図面に含まれている。
【発明の効果】
【００２２】
本発明の実施例によると、浮遊式加湿器を収容する水槽の蓋に具備されたキャップが浮遊式加湿器の空気流入口の周囲を取り囲む構造により、流入する空気量及び排出される空気量を減らすことで、空気を排出する時に発生する騒音を低減させることができる。
【００２３】
また、本発明の実施例によると、水槽蓋に具備されたキャップによって水槽内に発生する共鳴音を最小化することができる。
【図面の簡単な説明】
【００２４】
【図１】本発明の一実施例によるキャップを利用した浮遊式加湿器の騒音低減装置の使用状態度を示す斜視図である。
【図２】本発明の一実施例によるキャップを利用した浮遊式加湿器の騒音低減装置を示す斜視図である。
【図３】本発明の一実施例において、凹み溝部が形成されたことを示す斜視図である。
【図４】本発明の他の実施例によるキャップを利用した浮遊式加湿器の騒音低減装置を示す斜視図である。
【図５】図４の水槽蓋を示す斜視図である。
【図６】図４のキャップを示す斜視図である。
【図７ａ】本発明の他の実施例によるキャップを示す上面図である。
【図７ｂ】図７ａのＡ−Ａ’方向に対する断面図である。
【図８ａ】図４のキャップに突出部が具備された様子を示す上面図である。
【図８ｂ】図４のキャップに突出部が具備された様子を示す上面図である。
【図８ｃ】図８ａのＢ−Ｂ’方向に対する断面図である。
【図９ａ】図４のキャップに安着部が具備された様子を示す上面図である。
【図９ｂ】図９ａのＣ−Ｃ’方向に対する断面図である。
【発明を実施するための形態】
【００２５】
本発明の利点及び／または特徴、そしてそれらを達成する方法は、添付の図面と共に詳しく後述する実施例を参照すれば明確になるであろう。しかし、本発明は、以下で開示される実施例に限定されるものではなく、様々な異なる形態で具現されることができ、但し、本実施例は、本発明の開示を完全にして、本発明が属する技術分野で通常の知識を持った者に発明の範疇を完全に知らせるために提供されるものであり、本発明は、請求項の範疇によって定義されるだけである。明細書全体にわたって同一の参照符号は同一の構成要素を指す。
【００２６】
以下では、添付図面を参照して、本発明の実施例を詳しく説明する。
【００２７】
図１は、本発明の一実施例によるキャップを利用した浮遊式加湿器の騒音低減装置の使用状態度を示す斜視図であり、図２は、本発明の一実施例によるキャップを利用した浮遊式加湿器の騒音低減装置を示す斜視図であり、図３は、本発明の一実施例において、凹み溝部が形成されたことを示す斜視図である。
【００２８】
図１を参照すると、本発明の一実施例によるキャップ１３０を利用した浮遊式加湿器の騒音低減装置１００は、浮遊式加湿器１０を使用するための水槽１２０と結合して使用することができる。
【００２９】
即ち、水槽１２０内に浮遊式加湿器１０と、浮遊式加湿器１０が浮遊するように水を収容した状態で、キャップ１３０が形成された水槽蓋１１０が水槽１２０と結合することにより、本発明の騒音低減装置１００が使用されるための環境が設けられることができる。
【００３０】
図面に示すように、水槽１２０は、下部に行くほど幅が次第に狭くなる形態で形成することができる。即ち、水槽１２０は、胴体の中心に向かって側面が下向斜めに形成される円筒状で形成することができるが、これに限定されず、多様な形態で具現することができる。例えば、水槽１２０は、垂直断面が四角形の立方体状で形成することもできる。
【００３１】
水槽蓋１１０は、下部が水槽１２０の上部と結合し、さらに詳しくは、水槽蓋１１０の下部枠が水槽１２０の上部枠と接して結合することができる。
【００３２】
この時、所定サイズの高さを有するキャップ１３０が上記のような形態の水槽蓋１１０に結合し、本発明で提案する騒音低減装置１００を具現することができる。以下、図２及び図３を参照して、本発明の一実施例によるキャップ１３０を利用した浮遊式加湿器の騒音低減装置について詳しく説明する。
【００３３】
図２を参照すると、本発明の一実施例によるキャップ１３０を利用した浮遊式加湿器の騒音低減装置は、水槽蓋１１０及びキャップ１３０を含んで構成することができる。
【００３４】
水槽蓋１１０は、浮遊式加湿器１０が浮遊する水槽１２０の上部に結合する蓋であり、下部に行くほど幅が次第に広がる形態、つまり、胴体の外側に向かって側面が下向斜めに形成されることができる。
【００３５】
水槽蓋１１０は、金属、プラスチック、木材、合成樹脂などの素材で製作することができるが、必要に応じて、水が収容可能な様々な素材、例えば、ガラス、アルミニウムといった素材を選択的に使用することができる。
【００３６】
特に、水槽蓋１１０は、内部に収納された水の量または内部に収容された浮遊式加湿器１０の状態を目視で確認できる透明または半透明素材で具現することが好ましい。
【００３７】
水槽蓋１１０は、上部に浮遊式加湿器１０の一部が露出可能な開口部１１２を具備することができる。
【００３８】
開口部１１２は、浮遊式加湿器１０の一部を挿入貫通するように水槽蓋１１０の上部に孔状で形成することができる。
【００３９】
開口部１１２は、水槽蓋１１０の外周から内側に離隔した位置に外周より幅の狭い円または楕円で形成することができる。この時、開口部１１２は、浮遊式加湿器１０の外形によって様々な形態、例えば、三角形または四角形などで具現することができる。
【００４０】
水槽蓋１１０は、水槽１２０内の中心部に向かって所定角度θだけ下向斜めに形成された傾斜部１１４を含むことができる。
【００４１】
傾斜部１１４は、水槽蓋１１０の上部面が開口部１１２が形成される方向に下向傾斜を有することにより形成することができる。
【００４２】
これにより、浮遊式加湿器１０から排出された加湿粒子のうち水槽蓋１１０の上部面に沈み込む加湿粒子が後述する凹み溝部１１６を通じて水槽１２０内に再投入可能にする。
【００４３】
キャップ１３０は、浮遊式加湿器１０に流入する空気流入量を低減するための部材であり、開口部１１２の周りに沿って所定高さを有して形成することができる。
【００４４】
本実施例におけるキャップ１３０は、傾斜部１１４の末端、つまり、開口部１１２の周りに沿って一体で形成することができる。
【００４５】
キャップ１３０は、開口部１１２を通じて露出された浮遊式加湿器１０の一部が貫通するための貫通部１３２を具備することができる。
【００４６】
即ち、空気が流入する空気流入部と、加湿粒子及び流入した空気が排出される排出部が形成された浮遊式加湿器１０の上端部は、水槽蓋１１０の開口部１１２を通じて露出された状態で、キャップ１３０の貫通部１３２を貫通することができる。
【００４７】
これにより、キャップ１３０が浮遊式加湿器１０の上端部一部を取り囲み、本実施例では、浮遊式加湿器１０の上端部のうち空気流入口の周囲を取り囲むことができる。
【００４８】
そこで、浮遊式加湿器１０に空気が流入する経路がキャップ１３０の上部のみに形成されて、空気流入量自体が減ることになる。さらに、浮遊式加湿器１０に流入する空気量が減ると、排出される空気量も共に減り、排出される空気の圧力も低くなるので、空気と共に排出される風の音による騒音を低減することができる。
【００４９】
キャップ１３０と浮遊式加湿器１０の周りとの間に離隔空間が設けられるように、貫通部１３２の直径を浮遊式加湿器１０の上端部の直径より大きく具現することができる。具体的に、貫通部１３２の直径は、浮遊式加湿器１０の排出部の直径より大きいことが好ましい。
【００５０】
これにより、水槽１２０内の水量が増える場合に、浮遊式加湿器１０の上端部と貫通部１３２間の離隔距離が狭くなっても、浮遊式加湿器１０に流入可能な最小限の経路を確保することができる。
【００５１】
一方、本実施例では、浮遊式加湿器１０から排出されたが加湿粒子のうち、水槽蓋１１０に沈み込む加湿粒子が蓋の上部部が傾斜した構造により開口部１１２に向かって移動することができる。この時、開口部１１２の周りにキャップ１３０が一体化しているため、開口部１１２に向かって移動した加湿粒子が開口部１１２の周りに溜まるという問題が発生し得る。
【００５２】
そのため、図３に示すように、開口部１１２は、周りに沿って所定のサイズで凹み形成される少なくとも１つの凹み溝部１１６を具備することができる。
【００５３】
凹み溝部１１６は、水槽蓋１１０の傾斜部１１４末端がなす周りのうち、少なくとも一部分で水槽蓋１１０の外側方向に向かって陥没形成することができる。
【００５４】
そこで、浮遊式加湿器１０から排出されて水槽蓋１１０の上部面から沈み込む加湿粒子が水槽１２０内に再投入されることができる。
【００５５】
さらに、傾斜部１１４は、浮遊式加湿器１０から排出された加湿粒子のうち、水槽蓋１１０の上部面に沿って下向移動するように案内する手段を具備することができる。
【００５６】
即ち、傾斜部１１４は、上部面に螺旋状に形成された螺旋溝部（図示せず）を具備することができる。螺旋溝部は、水槽蓋１１０に沈み込んだ加湿粒子が開口部１１２に向かって移動するように案内する通路であり、螺旋状によって加湿粒子が遅い速度で下向移動して水槽１２０内に流入することができる。
【００５７】
これにより、水槽蓋１１０の上部面に沈み込む加湿粒子がより安定して水槽１２０内に再投入することができる。
【００５８】
図４は、本発明の他の実施例によるキャップを利用した浮遊式加湿器の騒音低減装置を示す斜視図であり、図５は、図４の水槽蓋を示す斜視図であり、図６は、図４のキャップを示す斜視図であり、図７ａは、本発明の他の実施例によるキャップを示す上面図であり、図７ｂは、図７ａのＡ−Ａ’方向に対する断面図であり、図８ａ及び図８ｂは、図４のキャップに突出部が具備された様子を示す上面図であり、図８ｃは、図８ａのＢ−Ｂ’方向に対する断面図であり、図９ａは、図４のキャップに安着部が具備された様子を示す上面図であり、図９ｂは、図９ａのＣ−Ｃ’方向に対する断面図である。
【００５９】
図４〜図６を参照すると、本発明の他の実施例によるキャップ１３０を利用した浮遊式加湿器の騒音低減装置は、水槽蓋１１０及びキャップ１３０を含んで構成することができる。
【００６０】
本発明の他の実施例による水槽蓋１１０は、本発明の一実施例による水槽蓋１１０と同一または類似しているので、本実施例では、キャップ１３０について詳しく説明する。
【００６１】
キャップ１３０は、浮遊式加湿器１０に流入する空気流入量を低減するための部材であり、開口部１１２の周りに沿って所定の高さを有して形成することができる。
【００６２】
本実施例におけるキャップ１３０は、水槽蓋１１０の開口部１１２に着脱可能な構造で結合することができる。即ち、キャップ１３０は、必要に応じて水槽蓋１１０から分離されるか、または水槽蓋１１０に結合することができる。
【００６３】
一例として、キャップ１３０は、開口部１１２の周り部分に載せられるか置かれることで水槽蓋１１０と結合することができる。そのため、キャップ１３０は、開口部１１２の周り部分に安着するように、キャップ１３０の下部周りから上部方向に延長して形成される安着部１３６を具備することができる。
【００６４】
図７ａ及び図７ｂに示すように、安着部１３６は、開口部１１２の周り部分により安定して安着するために、キャップ１３０の貫通部１３２の中心軸の外側方向に斜めに形成することができる。即ち、安着部１３６は、キャップ１３０の外側方向に曲がった形状を有することができる。参考として、前記上部方向は、浮遊式加湿器１０の排出量が向かう方向と同一の方向であることができる。
【００６５】
他の例として、キャップ１３０は、開口部１１２の周り部分との係り構造により、水槽蓋１１０と結合することができる。そのため、キャップ１３０の下部周りには、キャップ１３０の貫通部１３２の中心軸の外側方向に突出して形成される係り突出部（図示せず）が形成されることができ、開口部１１２の周り部分には、段差のある階段状の係り段差部（図示せず）が具備されることができる。
【００６６】
これにより、キャップ１３０の突出部１３４が開口部１１２の係り部上に係り構造で引っかかり、水槽蓋１１０の開口部１１２にキャップ１３０が結合されることができる。キャップ１３０及び水槽蓋１１０間の結合方法は、前述した方法に限らず、様々な結合方法を使用することができる。
【００６７】
一方、キャップ１３０と浮遊式加湿器１０との間に離隔空間が設けられるように、貫通部１３２の直径を浮遊式加湿器１０の上端部の直径より大きく具現することができる。具体的に、貫通部１３２の直径は、浮遊式加湿器１０の排出部の直径より大きいことが好ましい。
【００６８】
これにより、水槽１２０内の水量が増える場合に、浮遊式加湿器１０の上端部と貫通部１３２との間の離隔距離が狭くなっても、浮遊式加湿器１０に流入可能な最小限の経路を確保することができる。
【００６９】
キャップ１３０は、貫通部１３２の周りに沿って前記離隔空間に向かって所定のサイズで突出形成される複数の突出部１３４を具備することができる。
【００７０】
また、複数の突出部１３４は、貫通部１３２の周りに沿って水平方向に向かって突出形成することができる。即ち、複数の突出部１３４は、水槽蓋１１０の傾斜部１１４の末端で開口部１１２の中心に向かって水平方向に突出部を形成することができる。
【００７１】
また、複数の突出部１３４は、貫通部１３２の周りに沿って下向斜めに突出形成することができる。即ち、複数の突出部１３４は、水槽蓋１１０の傾斜部１１４の末端で開口部１１２の中心に向かって下向斜めに突出形成することができる。
【００７２】
複数の突出部１３４が貫通部１３２の周りに沿って下向斜めに突出形成される場合は、水平方向に向かって突出形成される場合に比べて、キャップ１３０の周り及び貫通部１３２を貫通する浮遊式加湿器１０の上端部の周りの離隔距離が相対的にさらに近くになり、浮遊式加湿器１０に流入する空気流入量が少なくなる。
【００７３】
従って、空気流入量の必要度または嗜好度によって、複数の突出部１３４の突出方向を調整して具現することができる。
【００７４】
参考として、複数の突出部１３４は、傾斜部１１４の末端で水平方向から垂直方向のいずれかの方向で突出形成することができる。例えば、複数の突出部１３４は、傾斜部１１４の末端で一直線上に突出形成するか、または下側に向かって４５度方向に突出形成することができる。
【００７５】
複数の突出部１３４は、貫通部１３２の周りに沿って互いに均一な間隔を有し、離隔して形成することができる。
【００７６】
ここで、離隔した間隔は、複数の突出部１３４が貫通部１３２の中心を基準としてｎ／３６０度の角度を有し、離隔させる間隔であることが好ましい。参考として、ｎは、複数の突出部１３４の個数に該当する。
【００７７】
一例として、図８ａに示すように、貫通部１３２の周りに沿って２つの突出部１３４が離隔して形成することができ、各突出部１３４は、１８０度の間隔で離隔することができる。
【００７８】
他の例として、図８ｂに示すようにに、貫通部１３２の周りに沿って３つの突出部１３４が離隔して形成することができ、各突出部１３４は、１２０度の間隔で離隔することができる。
【００７９】
参考として、図８ｃを参照すると、本実施例では、複数の突出部１３４が貫通部１３２の上端に形成されているが、これに限らず、貫通部１３２の周りのいずれに形成されても構わず、同一の効果を発揮することができる。
【００８０】
これにより、水槽１２０内の水量が増える場合に、浮遊式加湿器１０の上端部と貫通部１３２間の離隔距離が狭くなっても、浮遊式加湿器１０に流入可能な最小限の経路を安定して確保することができる。それだけでなく、外部衝撃により水槽１２０内で固定できず揺れる浮遊式加湿器１０の動きを減衰させることもできる。
【００８１】
参考として、本実施例において、上述した複数の突出部１３４は、一実施例によるキャップ１３０を利用した浮遊式加湿器の騒音低減装置のキャップ１３０にも具備されることができ、同一の効果を発揮することができる。
【００８２】
一方、本実施例では、浮遊式加湿器１０から排出された加湿粒子のうち水槽蓋１１０に沈み込む加湿粒子が蓋の上部面が傾斜した構造により、開口部１１２に向かって移動することができる。この時、開口部１１２に向かって移動した加湿粒子がキャップ１３０の下部周りに形成された安着部１３６の周囲に溜まるという問題が発生し得る。
【００８３】
そのため、図９ａ及び図９ｂに示すように、キャップ１３０は、キャップ１３０の下部周りに所定のサイズで形成される少なくとも１つの排出孔１３８を具備することができる。
【００８４】
排出孔１３８は、浮遊式加湿器１０から排出されて水槽蓋１１０の上部面に沈み込む加湿粒子が水槽１２０に再投入されるのための隙間であって、加湿粒子のサイズより所定サイズだけ大きく具現し、浮遊式加湿器１０に流入する空気流入量が増加しないだけのサイズで具現することが好ましい。
【００８５】
これまで本発明による具体的な実施例について説明したが、本発明の範囲から逸脱しない範囲内では様々な変形が可能なことは言うまでもない。従って、本発明の範囲は、説明された実施例に限られてはならず、後述する特許請求の範囲だけでなく、この特許請求の範囲と均等なものによって定められるべきである。
【００８６】
以上のように、本発明は限定された実施例と図面によって説明されたが、本発明は上記実施例に限定されるものではなく、これは本発明が属する分野で通常の知識を持った者であれば、このような記載から様々な修正及び変形が可能である。従って、本発明は、下記に記載された特許請求の範囲によって把握されるべきであり、これと均等または等価的変形は、いずれも本発明思想の範疇に属するといえる。
【符号の説明】
【００８７】
１０：浮遊式加湿器
１１０：水槽蓋
１１２：開口部
１１４：傾斜部
１１６：凹み溝部
１２０：水槽
１３０：キャップ
１３２：貫通部
１３４：複数の突出部
１３６：安着部
１３８：排出孔
【図１】
2019529848.tif 000003
【図２】
2019529848.tif 000004
【図３】
2019529848.tif 000005
【図４】
2019529848.tif 000006
【図５】
2019529848.tif 000007
【図６】
2019529848.tif 000008
【図７ａ】
2019529848.tif 000009
【図７ｂ】
2019529848.tif 000010
【図８ａ】
2019529848.tif 000011
【図８ｂ】
2019529848.tif 000012
【図８ｃ】
2019529848.tif 000013
【図９ａ】
2019529848.tif 000014
【図９ｂ】
2019529848.tif 000015
【国際調査報告】
2019529848.tif 000016
2019529848.tif 000017
2019529848.tif 000018
2019529848.tif 000019